(57)【特許請求の範囲】
【請求項１】
テープの幅サイズを超える印刷データを複数の部分データに分割し、この複数の部分データを前記テープの長さ方向の複数の領域に分けて印刷する機能を備えたテープ印刷装置において、
前記テープの複数の領域が切り離されて前記テープの幅方向に配列される際に、前記複数の領域それぞれの配列順位を表わし、且つ前記複数の領域間で位置合わせを行なうためのマークを、前記部分データと共に前記テープの複数の領域それぞれに印刷する印刷手段を備えたことを特徴とするテープ印刷装置。
【請求項２】
前記複数の領域に印刷されるマークは、前記複数の領域が配列される順位に応じた異なる数のドットで構成したことを特徴とする請求項１に記載のテープ印刷装置。
【発明の詳細な説明】
【０００１】
【発明の属する技術分野】
本発明は、例えばテープ等の長尺状の帯状記録紙を被印刷媒体として印刷を行なうテープ印刷装置に関する。
【０００２】
【従来の技術】
従来、オーディオカセットやビデオカセットに貼付けてその内容を記すインデックスラベル、あるいは種々の所持品に貼付けてその所有者を記すネームラベル等をオリジナルで作成する装置の１つとして、例えばテープ印刷装置が提供されている。
【０００３】
このテープ印刷装置は、多数の文字入力キーを備えた文書作成機能を有し、この文書作成機能により任意に作成した文字列からなる文書データ等を、印刷キーを操作することでテキストデータとして長尺状のテープにサーマル印刷ヘッドを介して熱転写印刷して出力するもので、この印刷されたテープは、順次搬送されて装置本体側面のテープ排出口より外部に排出され、前記印刷ヘッドとテープ排出口との間に配設された手動又は自動的に駆動されるカッタにより切断分離されるようになっている。
【０００４】
このようなテープ印刷装置にあって、従来、テープの幅サイズを超えるような拡大文字の印刷データを複数の部分データに分割し、この複数の部分データをテープの長さ方向の複数の領域に分けて印刷する拡大印刷機能を備えているものがある。
【０００５】
【発明が解決しようとする課題】
このような拡大印刷機能を備えたテープ印刷装置では、印刷されるデータの内容、印刷枚数、あるいは拡大倍率によっては、各部分データが印刷されたテープ領域（テープ片）の数が多くなり、部分的な印刷データを見た限りでは、それを全体の拡大印刷データの中でどの位置に配列すればよいのか分からなくなってしまう問題がある。また、各部分印刷データの印刷された複数のテープ片それぞれの配列位置が分かった場合でも、それらの相互間の位置合わせが難しい問題がある。
【０００７】
本発明は、前記のような問題に鑑みなされたもので、その目的は、複数に分割した各部分データを複数のテープ領域に分けて拡大印刷した場合でも、各テープ領域の配列順位及びその相互間位置を明確に知ることが可能になるテープ印刷装置を提供することにある。
【０００９】
【課題を解決するための手段】
すなわち、本発明のテープ印刷装置は、テープの幅サイズを超える印刷データを複数の部分データに分割し、この複数の部分データを前記テープの長さ方向の複数の領域に分けて印刷する機能を備えたもので、前記テープの複数の領域が切り離されて前記テープの幅方向に配列される際に、前記複数の領域それぞれの配列順位を表わし、且つ前記複数の領域間で位置合わせを行なうためのマークを、前記部分データと共に前記テープの複数の領域それぞれに印刷する印刷手段を備えたことを特徴とする。
【００１０】
つまり、本発明のテープ印刷装置では、複数に分割した部分データが複数のテープ領域それぞれに印刷される際には、各部分データと共に、複数のテープ領域それぞれの配列順位を表わし且つ複数の領域間で位置合わせを行なうためのマークも印刷されるので、印刷後に各テープ領域それぞれの配列順位及び合わせ位置を確認できることになる。
【００１５】
【発明の実施の形態】
以下図面により本発明の実施の形態について説明する。
図１は本発明の実施形態に係わるテーププリンタの外観構成を示す斜視図である。
【００１６】
プリンタ本体１１の正面には、データを入力したり印刷の開始を指示したりするためのキー入力部１２、入力されたデータを表示するための液晶ドットマトリクス表示部１３、及び印刷用のテープカセット３０（図２参照）を着脱可能に収容するための蓋１５により開閉されるテープカセット収容部１４が設けられる。
【００１７】
キー入力部１２には、印刷データとなる任意の文字列を入力するための文字キー１２ａが備えられると共に、各種入力データの変換，選択，確定や機能の設定等を行なうための制御キー１２ｂ，１２ｃ、及び入力された印刷データの印刷を開始するための印刷キー１２ｄ等が備えられる。
【００１８】
また、プリンタ本体１１の右側面には、テープカセット収容部１４において印刷データを印刷した印刷済みのテープＴが排出されるテープ排出口１６が設けられると共に、該テープ排出口１６から排出されたテープＴの印刷済み部分を手動により切断分離するためのカッタ操作ダイアル１７が設けられる。
【００１９】
図２は前記テーププリンタのプリンタ本体１１に設けられたテープカセット収容部１４及び該テープカセット収容部１４に収容されるテープカセット３０の構成を示す図である。
【００２０】
図２に示すように、テープカセット収容部１４内にはプリンタ部の主要な構成が設けられる。
すなわち、サーマルヘッド２１とプラテンローラ２２が相対して設けられると共に、インクリボンＲやテープＴを搬送するためのインクリボン巻取り軸２３、テープＴの幅やインクリボンＲのインク色を検出するためのカセット種別検出スイッチ（テープ幅検出部）２４が設けられる。
【００２１】
サーマルヘッド２１は、ヘッド支持軸２５を中心とし、図示しない駆動機構によって回動可能とされており、印刷動作中にプラテンローラ２２に対して圧接し必要に応じて開離する。
【００２２】
インクリボン巻取り軸２３は、印刷動作中にプラテン／インクリボン巻取り軸駆動モータ４９（図３参照）の駆動に基づきプラテンローラ２２と共に図示しない伝達機構によりインクリボンＲ及びテープＴの送り方向に回転駆動される。
【００２３】
また、テープカセット収容部１４には、機外に通じるテープ排出口１６が設けられ、このテープ排出口１６に臨んでカッタ２６が配設される。
このカッタ２６はカッタ操作ダイアル１７の操作に応じて駆動される。
【００２４】
テープカセット３０のカセットケース３１において、３２、３３、３４は夫々該カセットケース３１内に回転自在に設けたテープ供給スプール、インクリボン供給スプール、インクリボン巻取りスプールであり、テープ供給スプール３２にはテープＴが巻装され、インクリボン供給スプール３３にはインクリボンＲが巻装され、インクリボン巻取りスプール３４はインクリボン巻取り軸２３に嵌着される。
【００２５】
３５はサーマルヘッド２１が挿入されるヘッド収容部であって、カセットケース３１の本体を切り欠いて形成されている。テープ供給スプール３２及びインクリボン供給スプール３３から引き出されたテープＴ及びインクリボンＲは、テープＴがサーマルヘッド２１に対面するようにして、重ね合わせた状態でヘッド収容部３５を通過するように引き回されている。
【００２６】
図３は前記テーププリンタの電子回路の構成を示すブロック図である。
このテーププリンタの電子回路には、制御部（ＣＰＵ）４１が備えられる。
制御部４１は、キー入力部１２からのキー操作信号に応じてＲＯＭ４２に予め記憶されているシステムプログラムを起動させ、回路各部の動作制御を行なうもので、この制御部４１には、前記キー入力部１２，ＲＯＭ４２の他、ＲＡＭ４３，キャラクタジェネレータ４４，マークフォントメモリ４５，テープ幅検出部２４が接続されると共に、印刷制御部４６からヘッドドライバ４７を介してサーマルヘッド２１が接続され、また、印刷制御部４６からモータドライバ４８が接続されモータ４９によりインクリボン巻取り軸２３及びプラテンローラ２２が駆動される。
【００２７】
前記ＲＯＭ４２には、各種データ入力モードにおけるテキストデータの入力制御プログラムや印刷制御プログラム等、制御部４１によるシステム制御プログラムが予め記憶される。
【００２８】
前記キャラクタジェネレータ４４には、前記キー入力部１２により入力可能な全ての文字・記号・命令コードに対応するキャラクタパターンデータが予め記憶される。
【００２９】
前記印刷制御部４６は、印刷開始に応じてＲＡＭ４３から読み出される印刷データが、サーマルヘッド２１によりテープＴに１ラインデータずつ印刷出力されるのに同期して、モータドライバ４８を駆動してインクリボン巻取り軸２３及びプラテンローラ２２を回転駆動させるもので、これにより、テープＴはその１ライン毎の印刷に伴ないテープカセット３０から１ライン分ずつ繰出されて搬送排出される。
【００３０】
図４は前記テーププリンタのＲＡＭ４３に備えられるデータレジスタの構成を示す図である。
ＲＡＭ４３には、入力バッファ４３ａ、印刷バッファ４３ｂ、テープ幅サイズレジ４３ｃ、レジスタＡ、レジスタＢ，レジスタＣ等が備えられる。
【００３１】
入力バッファ４３ａには、キー入力部１２からのキー入力データが文字コードあるいは制御コードの状態で記憶される。
印刷バッファ４３ｂには、サーマルヘッド２１のライン型ドット発熱体に対応した１ライン分の印刷データが記憶される。
【００３２】
テープ幅サイズレジスタ４３ｃには、テープ幅検出部２４により検出されるテープカセット３０の種類に応じて判断されたテープＴの幅サイズが記憶される。
レジスタＡには、拡大指定された印刷データを幅方向の複数の部分に分割してテープＴの長さ方向の複数の領域に印刷する際の分割枚数データａが記憶される。
【００３３】
レジスタＢには、前記拡大印刷データを複数部分に分割して印刷する際の何枚目のテープ印刷かを示す印刷枚数データｂが記憶される。
レジスタＣには、複数の部分に分割した部分データの何れの部分データが印刷指定されたかを示す部分データの順位データｃが記憶される。
【００３４】
また、前記マークフォントメモリ４５には、前記拡大印刷データの分割印刷に伴ないテープＴの複数の領域が切り離されて該テープＴの幅方向に配列される際に、各テープＴに印刷されることで複数の領域それぞれの配列順位を表わし、且つ複数の領域間で位置合わせを行なうためのマークのフォントパターンが記憶される。
【００３５】
この場合、前記複数の領域に印刷されるマークのフォントパターンは、前記複数の領域が配列される順位に応じた異なる数のドットパターンとして記憶される。
【００３６】
次に、前記構成によるテーププリンタの動作について説明する。
図５は前記テーププリンタにおける印刷処理を示すフローチャートである。
図６は前記テーププリンタの印刷処理に伴なう表示部１３における画面表示状態を示す図である。
【００３７】
図７は前記テーププリンタの印刷処理に伴なう分割拡大印刷による印刷出力状態を示す図である。
すなわち、キー入力部１２の文字キー１２ａ及び制御キー１２ｂ，１２ｃを選択的に操作して、例えば「Ａ」なる文字データを入力して液晶ドットマトリクス表示部１３に表示させると、入力された文字データ「Ａ」は、対応する文字コードデータとしてＲＡＭ４３内の入力バッファ４３ａに記憶される。
【００３８】
こうして、任意の文字データを入力して記憶させた状態で、当該入力データを印刷データとして「印刷」キー１２ｄを操作すると、図５における印刷処理が起動され、まず、図６（Ａ）に示すように、液晶ドットマトリクス表示部１３に対し、前記印刷データを普通に全角で印刷するか拡大して印刷するかを選択するための印刷種類選択画面が表示される（ステップＳ１）。
【００３９】
ここで、表示部１３における印刷種類選択画面にて表示されているカーソルＫを移動させ、「普通印刷」を選択した状態で印刷の実行を指示すると、前記ＲＡＭ４３内の入力バッファ４３ａに記憶されている印刷データとしての文字コードデータに対応するフォントパターンが、キャラクタジェネレータ４４から呼び出され、印刷バッファ４３ｂに転送されると共に、当該印刷バッファ４３ｂに転送されたフォントパターンが１ラインデータずつ読み出されて印字制御部４６に出力され、ヘッドドライバ４７からサーマルヘッド２１を介してテープＴに印刷出力される（ステップＳ２→Ｓ３）。
【００４０】
この場合、サーマルヘッド２１による１ラインデータの印刷出力毎に、モータドライバ４８によるモータ４９の駆動により、インクリボン巻取り軸２３及びプラテンローラ２２が回転制御され、テープＴ及びインクリボンＲが１ドットラインずつ搬送されて印刷データ「Ａ」が順次１ラインデータずつ全角で通常印刷される。
【００４１】
一方、表示部１３における印刷種類選択画面にて表示されているカーソルＫを移動させ、「拡大印刷」を選択した状態で印刷の実行を指示すると、図６（Ｂ）に示すように、液晶ドットマトリクス表示部１３に対し、前記印刷データ「Ａ」をテープＴの幅に対応して何段分の拡大を行なうかを選択するための拡大倍率選択画面が表示される（ステップＳ２→Ｓ４）。
【００４２】
この拡大倍率選択画面において、例えばテープＴの３段分に対応する拡大印刷を行ないたいために、カーソルＫを「３段」の位置に移動させて実行を指示すると、ＲＡＭ４３内のレジスタＡに対し該拡大印刷のための分割枚数データａが“３”としてセットされる（ステップＳ５→Ｓ６ｂ）。
【００４３】
すると、図６（Ｃ）に示すように、液晶ドットマトリクス表示部１３に対し、拡大印刷のために分割した各部分データを全範囲に渡って印刷するかあるいは一部を指定して印刷するかを選択するための印刷範囲選択画面が表示される（ステップＳ７）。
【００４４】
この印刷範囲選択画面において、拡大した印刷データを、例えば全範囲に渡って印刷するために、カーソルＫを「一括印刷」の位置に移動させて実行を指示すると、ＲＡＭ４３内のレジスタＢに対し、何枚目のテープ印刷かを示す印刷枚数データｂが先ず“１”にセットされる（ステップＳ８→Ｓ９）。
【００４５】
すると、前記レジスタＡにセットされた分割枚数データａ（＝３）と前記レジスタＢにセットされた印刷枚数データｂ（＝１）とに従って、印刷データ「Ａ」のフォントパターンの上から３分の１の部分がテープ幅サイズレジスタ４３ｃに記憶されているテープＴの幅に対応させて拡大されると共に、この部分データに対し１枚目の配列であることを１個のドットパターンとして示すマークｍ１が印刷長さ方向の定位置に合成される（ステップＳ１０）。
【００４６】
すると、前記レジスタＢにセットされた印刷枚数データｂで指示された１枚目の部分印刷データが、順次１ラインデータずつ印字制御部４６に出力され、図７（Ａ）に示すように、テープＴ１として印刷出力される（ステップＳ１１）。
【００４７】
この場合、図６（Ｄ）に示すように、拡大印刷データ「Ａ」の１段目を印刷中であることを示す印刷中画面が、液晶ドットマトリクス表示部１３に表示される。
【００４８】
すると、前記レジスタＢにセットされている印刷枚数データｂが（＋１）されて次の印刷枚数である“２”にセットされ、液晶ドットマトリクス表示部１３に対し、図６（Ｅ）に示すように、１枚目の部分印刷が終了してテープＴのカットが必要であることを示すテープカット要求画面が表示される（ステップＳ１２，Ｓ１３）。
【００４９】
ここで、カッタ操作ダイアル１７を操作してカッタ２６を動作させると、図７（Ａ）で示したように、１段目の部分印刷データが印刷されたテープＴ１が切り離される（ステップＳ１４）。
【００５０】
そして、前記テープカットが終了して、前記レジスタＢにセットされた印刷枚数データｂ（＝２）が前記レジスタＡにセットされている分割枚数データａ（＝３）以下であることが判断されると、続いて、前記レジスタＡにセットされた分割枚数データａ（＝３）と前記レジスタＢにセットされた印刷枚数データｂ（＝２）とに従って、印刷データ「Ａ」のフォントパターンの上から３分の２の部分がテープ幅サイズレジスタ４３ｃに記憶されているテープＴの幅に対応させて拡大されると共に、この部分データに対し２枚目の配列であることを２個のドットパターンとして示すマークｍ２が印刷長さ方向の定位置に合成される（ステップＳ１４→Ｓ１５→Ｓ１０）。
【００５１】
すると、前記レジスタＢにセットされた印刷枚数データｂで指示された２枚目の部分印刷データが、順次１ラインデータずつ印字制御部４６に出力され、図７（Ｂ）に示すように、テープＴ２として印刷出力される（ステップＳ１１）。
【００５２】
すると、前記レジスタＢにセットされている印刷枚数データｂが（＋１）されて次の印刷枚数である“３”にセットされ、液晶ドットマトリクス表示部１３に対し、２枚目の部分印刷が終了してテープＴのカットが必要であることを示すテープカット要求画面が表示される（ステップＳ１２，Ｓ１３）。
【００５３】
ここで、カッタ操作ダイアル１７を操作してカッタ２６を動作させると、図７（Ｂ）で示したように、２段目の部分印刷データが印刷されたテープＴ２が切り離される（ステップＳ１４）。
【００５４】
そして、前記テープカットが終了して、前記レジスタＢにセットされた印刷枚数データｂ（＝３）が前記レジスタＡにセットされている分割枚数データａ（＝３）以下であることが判断されると、続いて、前記レジスタＡにセットされた分割枚数データａ（＝３）と前記レジスタＢにセットされた印刷枚数データｂ（＝３）とに従って、印刷データ「Ａ」のフォントパターンの上から３分の３の部分がテープ幅サイズレジスタ４３ｃに記憶されているテープＴの幅に対応させて拡大されると共に、この部分データに対し３枚目の配列であることを３個のドットパターンとして示すマークｍ３が印刷長さ方向の定位置に合成される（ステップＳ１４→Ｓ１５→Ｓ１０）。
【００５５】
すると、前記レジスタＢにセットされた印刷枚数データｂで指示された３枚目の部分印刷データが、順次１ラインデータずつ印字制御部４６に出力され、図７（Ｃ）に示すように、テープＴ３として印刷出力される（ステップＳ１１）。
【００５６】
すると、前記レジスタＢにセットされている印刷枚数データｂが（＋１）されて次の印刷枚数である“４”にセットされ、液晶ドットマトリクス表示部１３に対し、３枚目の部分印刷が終了してテープＴのカットが必要であることを示すテープカット要求画面が表示される（ステップＳ１２，Ｓ１３）。
【００５７】
ここで、カッタ操作ダイアル１７を操作してカッタ２６を動作させると、図７（Ｃ）で示したように、３段目の部分印刷データが印刷されたテープＴ３が切り離される（ステップＳ１４）。
【００５８】
そして、前記テープカットが終了して、前記レジスタＢにセットされた印刷枚数データｂ（＝４）が前記レジスタＡにセットされている分割枚数データａ（＝３）以下ではなくなったことが判断されると、前記３段分に拡大分割した一連の一括拡大印刷処理が終了される（ステップＳ１５→ＥＮＤ）。
【００５９】
図８は前記テーププリンタの拡大分割印刷処理により印刷出力された複数枚のテープの配列組み合わせ状態を示す図である。
すなわち、前記図７で示したように、３段に分割されて拡大印刷された３枚のテープＴ１，Ｔ２，Ｔ３を、それぞれのテープの長さ方向の定位置に同時印刷されたマークｍ１，ｍ２，ｍ３に従って、その配列順位及び配列位置を合わせて組み合わせることにより、容易に拡大印刷された印刷データ「Ａ」を完成させることができる。
【００６０】
一方、前記図６（Ｃ）に示したような、印刷範囲選択画面において、拡大した印刷データを、例えばその一部を指定して印刷するために、カーソルＫを「部分印刷」の位置に移動させて実行を指示すると、図６（Ｆ）に示すように、３段に拡大分割した印刷データの何段目の印刷を行なうかを指示するための部分印刷指定要求画面が表示される（ステップＳ７，Ｓ８→Ｓ１６）。
【００６１】
この部分印刷指定要求画面において、例えば１段目の部分印刷データのみ印刷したい場合に、カーソルＫを「１段目のみ印刷」の位置に移動させて実行を指示すると、ＲＡＭ４３内のレジスタＣにおける印刷指定順位データｃが“１”にセットされ、前記レジスタＡにセットされた分割枚数データａ（＝３）と前記レジスタＣにセットされた印刷指定順位データｃ（＝１）とに従って、印刷データ「Ａ」のフォントパターンの上から３分の１の部分のみがテープ幅サイズレジスタ４３ｃに記憶されているテープＴの幅に対応させて拡大されると共に、この部分データに対し１枚目の配列であることを１個のドットパターンとして示すマークｍ１が印刷長さ方向の定位置に合成される（ステップＳ１７→Ｓ１８ａ，Ｓ１９）。
【００６２】
すると、前記レジスタＣにセットされた指定順位データｂｃ指示された１枚目の部分印刷データが、順次１ラインデータずつ印字制御部４６に出力され、前記図７（Ａ）で示したように、テープＴ１としてのみ印刷出力される（ステップＳ２０）。
【００６３】
すなわち、任意に指定した順位の部分印刷データのみが選択的に印刷されるようになり、例えば前記一括拡大印刷中の何段目かでテープＴが無くなった際や印刷不良であった際等において、該当する部分の印刷データのみを容易に印刷して得ることができる。
【００６４】
なお、前記図６（Ｆ）における部分印刷指定要求画面においては、少なくとも１つの部分印刷データのみの印刷を指定できるものであり、例えば２つの部分印刷データを指定して対応する部分の印刷を行なってもよい。
【００６５】
また、図６（Ｆ）の例では、印刷するデータを何段目とするというように領域で指定したが、何番目の部分データを印刷するというように部分データにより指定してもよい。
【００６６】
したがって、前記構成のテーププリンタによれば、例えばテープＴの幅の３段分に拡大された印刷データを幅方向の３段の部分データに分割して３枚のテープＴ１，Ｔ２，Ｔ３に印刷する際には、各部分印刷データと共にそのそれぞれの配列順位及び相互間の配列位置を示すマークｍ１，ｍ２，ｍ３が合成されて各テープＴ１，Ｔ２，Ｔ３それぞれの長さ方向の定位置に印刷されるので、例えば拡大分割印刷されたテープ枚数が多くなった場合でも、それぞれのテープＴを全体の拡大印刷データの中でどの位置に配列すればよいのか明確に知ることができ、しかも、それらの相互間の位置合わせも容易に行なうことができるようになる。
【００６７】
また、前記構成のテーププリンタによれば、任意のテープ幅段数に拡大された印刷データのうちの、任意の段の部分印刷データのみを指定して選択的に印刷できるので、例えば分割された各部分印刷データの印刷途中でテープが無くなったり、あるいは一部の部分印刷データを損じたりした場合でも、再度、全部の部分印刷データの印刷をやり直す必要はなく、容易に所望の段の部分印刷データのみのテープ印刷を行なうことができる。
【００６８】
図９は前記テーププリンタの拡大分割印刷処理に伴ない個々の部分印刷データ毎に異なる色のテープＴを使用した場合の拡大印刷組み合わせ状態を示す図である。
【００６９】
すなわち、前記構成のテーププリンタによれば、拡大された印刷データの各部分印刷データを、それぞれ一部分ずつ指定して独立して印刷できるので、例えば各部分印刷データの印刷毎に、テープＴの地色の異なるテープカセット３０を順次交換してセットすれば、図９に示すように、装飾性に非常に優れた拡大印刷データを得ることができる。
【００７０】
なお、上述の実施形態では、テープ幅を跨ぐ拡大文字の印刷について説明したが、テープ幅に十分に収まる文字を用いて分割印字することもできる。
例えば１段目にＡＢＣ，２段目にＤＥＦ，３段目にＧＨＩの各文字をテープ幅内に収めて印刷すると共に、これら３枚のテープに印刷される文字の位置合わせとテープの順位を表わす上述のマークを合わせて印刷するものである。
【００７１】
【発明の効果】
以上のように、本発明のテープ印刷装置によれば、複数に分割した部分データが複数のテープ領域それぞれに印刷される際には、各部分データと共に、複数のテープ領域それぞれの配列順位を表わし且つ複数の領域間で位置合わせを行なうためのマークも印刷されるので、印刷後に各テープ領域それぞれの配列順位及び合わせ位置を確認できるようになる。
【００７２】
よって、複数に分割した各部分データを複数のテープ領域に分けて拡大印刷した場合でも、各テープ領域の配列順位及びその相互間位置を明確に知ることが可能になる。
【図面の簡単な説明】
【図１】本発明の実施形態に係わるテーププリンタの外観構成を示す斜視図。
【図２】前記テーププリンタのプリンタ本体に設けられたテープカセット収容部及び該テープカセット収容部に収容されるテープカセットの構成を示す図。
【図３】前記テーププリンタの電子回路の構成を示すブロック図。
【図４】前記テーププリンタのＲＡＭに備えられるデータレジスタの構成を示す図。
【図５】前記テーププリンタにおける印刷処理を示すフローチャート。
【図６】前記テーププリンタの印刷処理に伴なう表示部における画面表示状態を示す図。
【図７】前記テーププリンタの印刷処理に伴なう分割拡大印刷による印刷出力状態を示す図。
【図８】前記テーププリンタの拡大分割印刷処理により印刷出力された複数枚のテープの配列組み合わせ状態を示す図。
【図９】前記テーププリンタの拡大分割印刷処理に伴ない個々の部分印刷データ毎に異なる色のテープＴを使用した場合の拡大印刷組み合わせ状態を示す図。
【符号の説明】
１１  …テーププリンタ本体、
１２  …キー入力部、
１２ａ…文字キー、
１２ｂ，１２ｃ…制御キー、
１２ｄ…「印刷」キー、
１３  …液晶ドットマトリクス表示部、
１４  …テープカセット収容部、
１５  …蓋、
１６  …テープ排出口、
１７  …カッタ操作ダイアル、
２１  …サーマルヘッド、
２２  …プラテンローラ、
２３  …インクリボン巻取り軸、
２４  …カセット種別検出スイッチ（テープ幅検出部）、
２５  …ヘッド支持軸、
２６  …カッタ、
３０  …テープカセット、
３１  …カセットケース、
３２  …テープ供給スプール、
３３  …インクリボン供給スプール、
３４  …インクリボン巻取りスプール、
３５  …ヘッド収容部、
Ｔ  …テープ、
Ｒ  …インクリボン、
４１  …制御部（ＣＰＵ）、
４２  …ＲＯＭ、
４３  …ＲＡＭ、
４３ａ…入力バッファ、
４３ｂ…印刷バッファ、
４３ｃ…テープ幅レジスタ、
Ａ  …分割枚数データレジスタ、
Ｂ  …印刷枚数データレジスタ、
Ｃ  …印刷指定順位データレジスタ、
４４  …キャラクタジェネレータ、
４５  …マークフォントメモリ、
４６  …印字制御部、
４７  …ヘッドドライバ、
４８  …モータドライバ、
４９  …モータ、
５０  …表示制御部、
Ｋ  …カーソル、
ｍ  …配列順位・位置表示マーク。
【図１】
0003911726.tif 000002
【図２】
0003911726.tif 000003
【図３】
0003911726.tif 000004
【図４】
0003911726.tif 000005
【図５】
0003911726.tif 000006
【図６】
0003911726.tif 000007
【図７】
0003911726.tif 000008
【図８】
0003911726.tif 000009
【図９】
0003911726.tif 000010